(57)【要約】 【課題】  重心の移動による画像形成装置の傾斜を防止可能な画像形成装置を提供する。【解決手段】  本体ケーシング１０内に並んで配される４個の画像形成ユニット３０ａ〜３０ｄは、本体ケーシング１０のカバー１８を開くことにより４個の画像形成ユニット３０ａ〜３０ｄが弾性体１６に弾性力によりスライド移動し、このうち最前部に装着されていた画像形成ユニット３０ａが着脱部に配されることにより、当該画像形成ユニット３０ａを取り外すと、２番目の画像形成ユニット３０ｂが着脱可能な着脱部にスライド移動する。【選択図】  図２
2006267668.tif 000002
【特許請求の範囲】
【請求項１】
本体ケーシングと、
前記本体ケーシング内に並んで配されるＮ個（Ｎ≧２）の画像形成ユニットと、
前記Ｎ個の画像形成ユニットのうち多くともＮ−１個の画像形成ユニットが前記本体ケーシングに対して着脱可能に配される着脱部と、
前記画像形成ユニットを前記着脱部まで移動可能な移動手段と、を備えることを特徴とする画像形成装置。
【請求項２】
前記着脱部には、前記Ｎ個の画像形成ユニットのうちの１個の画像形成ユニットのみが着脱可能に配されることを特徴とする請求項１記載の画像形成装置。
【請求項３】
前記Ｎ個の画像形成ユニットは、略水平位置に並んで配されていることを特徴とする請求項１または請求項２記載の画像形成装置。
【請求項４】
前記移動手段は、弾性体の弾性力により前記画像形成ユニットを前記着脱部まで移動させることを特徴とする請求項１ないし請求項３のいずれかに記載の画像形成装置。
【請求項５】
前記画像形成ユニットの両端部には外方に突出する突部が設けられる一方、前記本体ケーシングの内面側には前記突部と嵌合する窪み部が設けられており、前記画像形成ユニットが前記窪み部に案内されて前記着脱部まで移動することを特徴とする請求項１ないし請求項４のいずれかに記載の画像形成装置。
【請求項６】
前記移動手段は弾性体の弾性力により前記画像形成ユニットを前記着脱部まで移動させるものであり、
前記弾性体は、前記窪み部に配されることを特徴とする請求項５に記載の画像形成装置。
【請求項７】
前記本体ケーシングのうち、前記着脱部の上部には開口部が設けられており、前記開口部を介して前記着脱部に配された前記画像形成ユニットの着脱が可能とされることを特徴とする請求項１ないし請求項６のいずれかに記載の画像形成装置。
【請求項８】
前記本体ケーシングの側面のうち前記画像形成ユニットの着脱部への移動方向には前記画像形成ユニットの挿通が可能なユニット挿通口が貫通形成されていることを特徴とする請求項１ないし請求項７のいずれかに記載の画像形成装置。
【請求項９】
前記着脱部は、前記本体ケーシング内における端部側に設けられていることを特徴とする請求項１ないし請求項８のいずれかに記載の画像形成装置。
【請求項１０】
前記着脱部は、前記本体ケーシング外部のうち前記ユニット挿通口の近傍に設けられていることを特徴とする請求項８に記載の画像形成装置。
【請求項１１】
前記着脱部は、前記ユニット挿通口内に設けられていることを特徴とする請求項８に記載の画像形成装置。
【請求項１２】
前記ユニット挿通口はカバーで覆われており、
前記カバーは一端側を軸として開閉可能に構成されるとともに、前記カバーの前記本体ケーシング内面側には、前記画像形成ユニットの着脱部への移動を係止する係止部が突設されており、前記カバーを開放することにより前記画像形成ユニットに対する前記係止部の係止が解除されて前記画像形成ユニットが着脱部に移動することを特徴とする請求項８ないし請求項１１のいずれかに記載の画像形成装置。
【請求項１３】
前記本体ケーシングの内側壁に設けられるレールの窪み部に前記画像形成ユニットの両端部の突部が案内されて前記画像形成ユニットが着脱部に移動するものであって、
前記カバーが閉状態となるまで回動することにより前記レールが移動して前記Ｎ個の画像形成ユニットが正規の装着位置にて位置決めされる位置決め手段と、
前記カバーが開状態側に回動されることにより前記レールが移動して前記Ｎ個の画像形成ユニットの前記位置決めが解除される解除手段とを備えることを特徴とする請求項１２に記載の画像形成装置。
【請求項１４】
前記Ｎ個の画像形成ユニットのうち、前記所定の並び順における装着位置において隣接する画像形成ユニット間の対向面には、一方の面の凸部と当該凸部に対向する面の凹部が凹凸嵌合する嵌合部が設けられるとともに、前記Ｎ個の画像形成ユニットのうち、前記並び順とは異なる装着位置において隣接する画像形成ユニット間の一方の面の凸部と当該凸部に対向する面の凹部との間では凹凸嵌合しないことを特徴とする請求項１ないし請求項１３のいずれかに記載の画像形成装置。
【請求項１５】
前記Ｎ個の画像形成ユニットの並び順を検出する検出手段を備え、
前記検出手段で検出した画像形成ユニットの並び順に応じて画像形成を行うことを特徴とする請求項１ないし請求項１４のいずれかに記載の画像形成装置。
【請求項１６】
前記Ｎ個の画像形成ユニットの並び順を入力する入力手段を備え、
前記入力手段で入力した画像形成ユニットの並び順に応じて画像形成を行うことを特徴とする請求項１ないし請求項１５のいずれかに記載の画像形成装置。
【請求項１７】
前記Ｎ個の画像形成ユニットのうち最も消耗の早い画像形成ユニットが最先に前記着脱部から取り外し可能に構成されていることを特徴とする請求項１ないし請求項１６のいずれかに記載の画像形成装置。
【発明の詳細な説明】
【技術分野】
【０００１】
本発明は、画像形成装置に関する。
【背景技術】
【０００２】
電子写真技術を用いた画像形成装置の一方式として、いわゆるタンデム方式のものが知られている。これは、イエロー、マゼンタ、シアン、ブラックの各色ごとに感光体と、その周囲の現像カートリッジ、帯電器等の画像形成プロセス部品とを備え、各現像カートリッジより供給される各色のトナーにより各感光体上に形成された各色トナー像を搬送される用紙に転写することにより画像形成を行うものである。
【０００３】
このような画像形成装置には、本体ケーシング内部に並んで配され現像カートリッジ等からなる画像形成ユニットを積載した引き出しを設け、当該引き出しを全ての画像形成ユニットの着脱が可能な所定位置まで側方に引き出すことで、画像形成ユニットの交換作業が行えるように構成されているものがある。
【特許文献１】特開２００３−１５３７８公報
【発明の開示】
【発明が解決しようとする課題】
【０００４】
しかしながら、画像形成ユニットの交換の際に、全ての画像形成ユニットを着脱可能な位置まで引き出す場合には、引き出しに積載された画像形成ユニットの重さにより重心が側方に移動し、画像形成装置が傾斜するおそれがあり望ましくない。
【０００５】
本発明は上記のような事情に基づいて完成されたものであって、重心の移動による画像形成装置の傾斜を防止可能な画像形成装置を提供することを目的とする。
【課題を解決するための手段】
【０００６】
上記の目的を達成するための手段として、請求項１の発明は、本体ケーシングと、
前記本体ケーシング内に並んで配されるＮ個（Ｎ≧２）の画像形成ユニットと、
前記Ｎ個の画像形成ユニットのうち多くともＮ−１個の画像形成ユニットが前記本体ケーシングに対して着脱可能に配される着脱部と、
前記画像形成ユニットを前記着脱部まで移動可能な移動手段と、を備える構成としたところに特徴を有する。
【０００７】
請求項２の発明は、請求項１に記載のものにおいて、前記着脱部には、前記Ｎ個の画像形成ユニットのうちの１個の画像形成ユニットのみが着脱可能に配されるところに特徴を有する。
【０００８】
請求項３の発明は、請求項１または請求項２に記載のものにおいて、前記Ｎ個の画像形成ユニットは、略水平位置に並んで配されているところに特徴を有する。
【０００９】
請求項４の発明は、請求項１ないし請求項３のいずれかに記載のものにおいて、前記移動手段は、弾性体の弾性力により前記画像形成ユニットを前記着脱部まで移動させるところに特徴を有する。
【００１０】
請求項５の発明は、請求項１ないし請求項４のいずれかに記載のものにおいて、前記画像形成ユニットの両端部には外方に突出する突部が設けられる一方、前記本体ケーシングの内面側には前記突部と嵌合する窪み部が設けられており、前記画像形成ユニットが前記窪み部に案内されて前記着脱部まで移動するところに特徴を有する。
【００１１】
請求項６の発明は、請求項５に記載のものにおいて、前記移動手段は弾性体の弾性力により前記画像形成ユニットを前記着脱部まで移動させるものであり、
前記弾性体は、前記窪み部に配されるところに特徴を有する。
【００１２】
請求項７の発明は、請求項１ないし請求項６のいずれかに記載のものにおいて、前記本体ケーシングのうち、前記着脱部の上部には開口部が設けられており、前記開口部を介して前記着脱部に配された前記画像形成ユニットの着脱が可能とされるところに特徴を有する。
【００１３】
請求項８の発明は、請求項１ないし請求項７のいずれかに記載のものにおいて、前記本体ケーシングの側面のうち前記画像形成ユニットの着脱部への移動方向には前記画像形成ユニットの挿通が可能なユニット挿通口が貫通形成されているところに特徴を有する。
【００１４】
請求項９の発明は、請求項１ないし請求項８のいずれかに記載のものにおいて、前記着脱部は、前記本体ケーシング内における端部側に設けられているところに特徴を有する。
【００１５】
請求項１０の発明は、請求項８に記載のものにおいて、前記着脱部は、前記本体ケーシング外部のうち前記ユニット挿通口の近傍に設けられているところに特徴を有する。
【００１６】
請求項１１の発明は、請求項８に記載のものにおいて、前記着脱部は、前記ユニット挿通口内に設けられているところに特徴を有する。
【００１７】
請求項１２の発明は、請求項８ないし請求項１１のいずれかに記載のものにおいて、前記ユニット挿通口はカバーで覆われており、
前記カバーは一端側を軸として開閉可能に構成されるとともに、前記カバーの前記本体ケーシング内面側には、前記画像形成ユニットの着脱部への移動を係止する係止部が突設されており、前記カバーを開放することにより前記画像形成ユニットに対する前記係止部の係止が解除されて前記画像形成ユニットが着脱部に移動するところに特徴を有する。
【００１８】
請求項１３の発明は、請求項１２に記載のものにおいて、前記本体ケーシングの内側壁に設けられるレールの窪み部に前記画像形成ユニットの両端部の突部が案内されて前記画像形成ユニットが着脱部に移動するものであって、
前記カバーが閉状態となるまで回動することにより前記レールが移動して前記Ｎ個の画像形成ユニットが正規の装着位置にて位置決めされる位置決め手段と、
前記カバーが開状態側に回動されることにより前記レールが移動して前記Ｎ個の画像形成ユニットの前記位置決めが解除される解除手段とを備えるところに特徴を有する。
【００１９】
請求項１４の発明は、請求項１ないし請求項１３のいずれかに記載のものにおいて、前記Ｎ個の画像形成ユニットのうち、前記所定の並び順における装着位置において隣接する画像形成ユニット間の対向面には、一方の面の凸部と当該凸部に対向する面の凹部が凹凸嵌合する嵌合部が設けられるとともに、前記Ｎ個の画像形成ユニットのうち、前記並び順とは異なる装着位置において隣接する画像形成ユニット間の一方の面の凸部と当該凸部に対向する面の凹部との間では凹凸嵌合しないところに特徴を有する。
【００２０】
請求項１５の発明は、請求項１ないし請求項１４のいずれかに記載のものにおいて、前記Ｎ個の画像形成ユニットの並び順を検出する検出手段を備え、
前記検出手段で検出した画像形成ユニットの並び順に応じて画像形成を行うところに特徴を有する。
【００２１】
請求項１６の発明は、請求項１ないし請求項１５のいずれかに記載のものにおいて、前記Ｎ個の画像形成ユニットの並び順を入力する入力手段を備え、
前記入力手段で入力した画像形成ユニットの並び順に応じて画像形成を行うところに特徴を有する。
【００２２】
請求項１７の発明は、請求項１ないし請求項１６のいずれかに記載のものにおいて、前記Ｎ個の画像形成ユニットのうち最も消耗の早い画像形成ユニットが最先に前記着脱部から取り外し可能に構成されているところに特徴を有する。
【発明の効果】
【００２３】
＜請求項１の発明＞
本構成によれば、全て（Ｎ個）の画像形成ユニットが一度に着脱部に移動されないから、重心の移動による画像形成装置の傾斜等を防止することができる。
【００２４】
＜請求項２の発明＞
本構成によれば、１個の画像形成ユニットのみが着脱部に配されることにより、より重心の移動による画像形成装置の傾斜等を防止することができる。
【００２５】
＜請求項３の発明＞
Ｎ個の画像形成ユニットが略水平位置に並んで配される場合には、Ｎ個の画像形成ユニットが高さ方向に並んで配されるよりも画像形成装置が傾斜しやすい。そこで、本構成によれば、画像形成ユニットが略水平位置に並んで配される場合に本発明が適用されるから、より効果的に画像形成装置の傾斜等を防止することができる。
【００２６】
＜請求項４の発明＞
本構成によれば、弾性体という簡易な構成を利用して画像形成ユニットを着脱部まで移動させることができる。
【００２７】
＜請求項５の発明＞
本構成によれば、画像形成ユニットを安定した姿勢のまま着脱部まで移動させることができる。
【００２８】
＜請求項６の発明＞
本構成によれば、弾性体は本体ケーシング内面側の窪み部に配されるから、本体ケーシング内のスペースを有効利用することができる。
【００２９】
＜請求項７の発明＞
本構成によれば、画像形成ユニットの着脱の際に、画像形成ユニットを本体ケーシングの外部まで引き出す必要がないから、画像形成ユニットの移動により生じる画像形成装置の重心の移動が減少し、より画像形成装置の傾斜等を防止することができる。
【００３０】
＜請求項８の発明＞
本構成によれば、本体ケーシングの側面側から画像形成ユニットの挿通が可能になる。
【００３１】
＜請求項９の発明＞
本構成によれば、着脱部が本体ケーシング内に設けられるから、より重心の移動による画像形成装置の傾斜等を防止することができる。
【００３２】
＜請求項１０の発明＞
本構成によれば、本体ケーシング内の狭い範囲で画像形成ユニットの着脱を行う場合と比較して着脱作業が容易になる。
【００３３】
＜請求項１１の発明＞
本構成によれば、本体ケーシング内の狭い範囲で画像形成ユニットの着脱を行う場合と比較して画像形成ユニットの着脱が容易になる。
【００３４】
＜請求項１２の発明＞
本構成によれば、カバーを開放するだけで画像形成ユニットが着脱部に移動し、画像形成ユニットの着脱が可能になる。
【００３５】
＜請求項１３の発明＞
本構成によれば、カバーを閉じるだけでＮ個の画像形成ユニットを正規の装着位置に位置決めできるとともに、カバーを開くことにより画像形成ユニットの位置決めを解除できる。
【００３６】
＜請求項１４の発明＞
本構成によれば、所定の並び順における装着位置において隣接する対向面は凹凸嵌合するとともに、所定の並び順とは異なる装着位置において隣接する対向面については凹凸嵌合しないという簡素な構成で、画像形成ユニットの装着順序の間違いを認識することができる。
【００３７】
＜請求項１５の発明＞
本構成によれば、自由な装着順序で画像形成ユニットの装着が可能となる。
【００３８】
＜請求項１６の発明＞
本構成によれば、入力手段で入力される並び順で画像形成ユニットを装着することができる。
【００３９】
＜請求項１７の発明＞
本構成によれば、頻繁に交換する最も消耗の早い画像形成ユニットについての交換作業の際に他の画像形成ユニットの取り外しを行う必要がないから、作業性を向上させることができる。
【発明を実施するための最良の形態】
【００４０】
＜実施形態１＞
次に本発明の実施形態１を図１から図１０を参照して説明する。図１は、本実施形態の画像形成装置としてのレーザプリンタの概略構成を示す側断面図である。このレーザプリンタは、ブラック、シアン、マゼンタ、イエローの各色に対応する４つの感光体ドラムを備えた、いわゆるダイレクトタンデム型のカラーレーザプリンタである。
【００４１】
１．レーザプリンタの構成
レーザプリンタは、図１に示すように、本体ケーシング１０内に、記録媒体としての用紙Ｐを給紙するための給紙部２０、給紙された用紙Ｐにスキャナ部２５からレーザ光Ｌを受けて画像を形成するための画像形成ユニット３０ａ〜３０ｄ及び画像形成ユニット３０ａ〜３０ｄに対して用紙Ｐを搬送する用紙搬送部４０などを備えている。なお、以下の説明において、図１における左側を前方とする。
【００４２】
＜本体ケーシング＞
本体ケーシング１０は、図２に示すように、全体として略直方体状をなし、その前端部（図２の左斜め下方）の略上半分が略直方体状に切り欠かれてなる開放部１１が設けられており、開放部１１の側方の側壁１０Ａが本体ケーシング１０の他の側壁１０Ｂよりもやや薄肉となって残されている。これにより、側壁１０Ａと他の側壁１０Ｂとの間には、前後方向には段差状の段差部１２が形成される一方で、上下方向には段差状であって後述する各画像形成ユニット３０ａ（〜３０ｄ）が載置される載置部１３が形成されている。ここで、開放部１１の前後方向の大きさは、後述する各画像形成ユニット３０ａ（〜３０ｄ）の奥行（前後方向の大きさ）とほぼ等しくなっており、図４に示すように、各色に対応した４つの画像形成ユニット３０ａ〜３０ｄのうち、載置部１３に載置（この載置部１３上に配置された画像形成ユニットが本発明の「着脱部」に配置された画像形成ユニットに相当）された画像形成ユニット３０ａ（前方の画像形成ユニットが既に取り外されている場合には３０ｂ〜３０ｄのいずれか）のみの着脱が可能となっている。
【００４３】
一方、載置部１３に載置（着脱部に配置）された画像形成ユニット３０ａ（〜３０ｃ）の直後（２番目）に位置する画像形成ユニット３０ｂ（〜３０ｄ）は、上方は本体ケーシング１０の上壁１０Ｃに遮られるとともに、前方は載置部１３に載置された画像形成ユニット３０ａ（〜３０ｃ）に遮られて本体ケーシング１０の外部に取り出すことができないようになっている。そして、詳しくは後述するが、載置部１３（着脱部）に位置する画像形成ユニット３０ａ（〜３０ｃ）を取り外すと、その都度、後方の画像形成ユニット３０ｂ〜３０ｄが前方に順次スライド移動するようになっている（図５参照）。
なお、本実施形態では、開放部１１の上方及び前方のいずれからも画像形成ユニット３０ａ〜３０ｄの着脱が可能になっているため、開放部１１のうち上方が本発明の開口部に相当し、前方が本発明のユニット挿通口に相当する。
【００４４】
また、図２に示すように、載置部１３の前端には、位置決め板１４が突設されており、この位置決め板１４によりスライド移動してきた画像形成ユニット３０ａ〜３０ｄが係止されて画像形成ユニット３０ａ〜３０ｄが載置部１３（着脱部）に位置決めされるようになっている。
【００４５】
また、本体ケーシング１０の両側壁１０Ｂの内面の略中央部には、窪み部１５が水平に延設されており、この窪み部１５の前端は段差部１２の下端部を貫通し、窪み部１５の下面１５Ａが載置部１３と連続するようになっている。一方、窪み部１５の後方側は段差状にやや縮径し（図１参照）、その後端１５Ｃは、本体ケーシング１０の側壁１０Ｂの内面の後端部付近に形成されている。そして、両側壁１０Ｂの窪み部１５内には、共にバネからなる弾性体１６が配されている。
【００４６】
弾性体１６は、前端側が、正方形状の押し板１７の後面側に接続されている。押し板１７は、窪み部１５に隙間なく密接するように起立しており、画像形成ユニット３０ａ〜３０ｄの装着時には、最後尾の画像形成ユニット３０ｄの後面に当接して弾性体１６の弾性力により画像形成ユニット３０ｄを前方側に押圧するとともに、全ての画像形成ユニット３０ａ〜３０ｄが取り外されたときには、段差部１２の位置まで弾性力により移動し、当該位置で係止されるようになっている。一方、弾性体１６の後端側は、窪み部１５の後端に固定されている。したがって、弾性体１６が本発明の移動手段に相当する。
【００４７】
そして、本体ケーシング１０の開放部１１は、画像形成時には、カバー１８で覆われることにより外部から閉鎖されるようになっている。
【００４８】
カバー１８は、図２に示すように、長方形状の平板部１８Ａの一端側に起立壁１８Ｂが突出する一方、平板部１８Ａの他端側が本体ケーシング１０の前壁のうち開放部１１のやや下方に接続されている。ここで平板部１８Ａの他端側は、ヒンジ機構（図示しない）により９０度のみ回転可能となっており、カバー１８の開放時には、カバー１８の平板部１８Ａがぼぼ水平姿勢をなす開放位置に保持される一方で、カバー１８を閉じる時には、ヒンジ機構のヒンジ軸（図示しない）を中心に前端（起立壁１８Ｂ）側を上方（開放部１１側）に回動させることにより、本体ケーシング１０の開放部１１が閉鎖されるようになっている（図１参照）。
【００４９】
また、平板部１８Ａの表面のうち幅方向の両端部には、一対の山形の係止部１９が突出形成されている。この山形の係止部１９の高さは、載置部１３(着脱部）の長さとほぼ等しくなっており、カバー１８を閉じる時には、載置部１３(着脱部）に載置される画像形成ユニット３０ａの前面に当接し、後述する弾性体１６の弾性力により前方に付勢される画像形成ユニット３０ａ〜３０ｄを弾性力に逆らって所定（正規）の装着位置まで移動させるようになっている。
【００５０】
＜給紙部＞
給紙部２０は、図１に示すように、本体ケーシング１０内の底部に、着脱可能に装着される供給トレイとしての給紙トレイ２１と、給紙トレイ２１の前端部の上方に設けられるピックアップローラ２２と、ピックアップローラ２２の上方に設けられる一対のレジストローラ２３Ａ，２３Ｂとを備えている。
【００５１】
給紙トレイ２１は、薄皿状をなし、その内側に画像を形成するための用紙Ｐを積載可能となっている。なお、給紙トレイ２１は、カバー１８の下側から本体ケーシング１０の前方へ引き出し可能になっている。
給紙トレイ２１の最上位にある用紙Ｐは、ピックアップローラ２２の回転によって、搬送開始され、レジストローラ２３Ａ，２３Ｂに搬送される。
【００５２】
レジストローラ２３Ａ，２３Ｂは、駆動ローラ２３Ａ及び従動ローラ２３Ｂから構成され、用紙Ｐをレジスト後に、用紙搬送部４０の転写ベルト４３上へ搬送する。
【００５３】
＜スキャナ部＞
本体ケーシング１０内の最上部には、露光手段としての４つのスキャナ部２５が設けられている。４つのスキャナ部２５は、所定の画像データに基づいた各色毎のレーザ光Ｌを対応する画像形成ユニット３０ａ〜３０ｄに設けられた感光体ドラム３２の表面上に高速走査にて照射する。各色に対応した４本のレーザ光Ｌは、各スキャナ部２５の底面から下方に向けて射出される。
【００５４】
＜画像形成ユニット＞
本体ケーシング１０内には、４つのスキャナ部２５の下側にユニット収容部３７が設けられ、このユニット収容部３７に画像形成ユニット３０ａ〜３０ｄが収容されている。画像形成ユニット３０ａ〜３０ｄには、像担持体としての感光体ドラム３２、帯電手段としてのスコロトロン型帯電器（図示しない）、現像器（図示しない）などが備えられている。
【００５５】
４つの各画像形成ユニット３０ａ〜３０ｄは、本体ケーシング１０の前後方向に並んで装着されており、それぞれブラック、シアン、マゼンタ、イエローの各色に対応し、その配列は最も消耗の早いユニット（トナー容量等により異なるが、同じトナー容量である場合には、最も頻繁に使用されるブラックの画像形成ユニット３０ａ）が前端側に装着されている。
【００５６】
画像形成ユニット３０ａ〜３０ｄは、図２に示すように、本体ケーシング１０内面のほぼ全幅に亘る幅をなす略直方体状のユニットケース３１を備えており、このユニットケース３１の上部側に各画像形成ユニット３０ａ〜３０ｄに対応した色のトナーが充填されるようになっている。また、図１に示すように、ユニットケース３１の後面の下部には全幅に亘って後方側に略直方体状に張り出す張出部３１Ａが形成されており、感光体ドラム３２が張出部３１Ａに覆われた状態でわずかにユニットケース３１の下端から露出するようになっている。張出部３１Ａの上部には貫通孔（図示しない）が形成されており、各スキャナ部２５からのレーザ光Ｌが貫通孔を通って感光体ドラム３２に照射されるようになっている。
【００５７】
ここで、図９に示すように、ユニットケース３１の張出部３１Ａの後端面３１Ｂ（後端部）には、凸部３３ａ（〜３３ｄ）が凸設される一方で、ユニットケース３１の前面３１Ｃには凹部３４ａ（〜３４ｃ）が凸部３３ｂ（〜３３ｄ）と同じ高さに設けられている。
【００５８】
これら凸部３３（３３ａ〜３３ｄ）及び凹部３４（３４ｂ〜３４ｄ）の幅方向の位置は、各画像形成ユニット３０ａ〜３０ｄごとに異なる位置に配されており、上述した所定（正規）の並び順における装着位置において隣接するユニットケース３１間の張出部３１Ａの凸部３３ａ（〜３３ｄ）とユニットケース３１の前面３１Ｃの凹部３４ｂ（〜３４ｄ）との幅方向の位置が等しい位置とされ、これにより、当該凸部３３ａ（〜３３ｄ）と対応（対向）する凹部３４ｂ（〜３４ｄ）とが凹凸嵌合（当該凸部３３と対応する凹部３４とが本発明の「嵌合部」に相当）するようになっている。一方、ユニットケース３１の凸部３３と当該ユニットケース３１とは所定の並び順で隣接しないユニットケース３１の対向する凹部３４との幅方向の位置（所定の並び順とは異なる装着位置において隣接する画像形成ユニット３０ａ〜３０ｄ間の一方の面の凸部３３と当該凸部３３に対向する面の凹部３４との間）は異なるようになっているため当該凸部３３と対応しない凹部３４とは凹凸嵌合しないようになっている。
【００５９】
これにより、図１０（ａ）に示すように、異なる並び順でいずれかの画像形成ユニット３０ａ〜３０ｄが装着された場合には、いずれかの凸部３３と凹部３４とが嵌合しない分だけ前後方向のスペースが長くなり（同図矢印間）、カバー１８を閉じようとした場合に、カバー１８を正規の閉鎖位置まで回動させることができないため、画像形成ユニット３０ａ〜３０ｄの装着順序の間違いを認識することができる。
【００６０】
また、例えば、図１０（ｂ）に示すように、画像形成ユニット３０ａ〜３０ｄの装着順序を逆にして装着しようとした場合には、更に前後方向のスペースが長くなり、最後の画像形成ユニット３０ｄを装着することができないため、画像形成ユニット３０ａ〜３０ｄの装着順序の間違いをより容易に認識することができる。
【００６１】
また、ユニットケース３１の両側面の下端部からは、図２に示すように、外方に向けて鉤状に突出する突部３５が前後方向の全体に亘って設けられており、この突部３５の下端３５Ａ（先端）はユニットケース３１の下面よりもわずかに下方に突出している。
【００６２】
この突部３５は、本体ケーシング１０の両内壁の窪み部１５内に配されており（図３参照）、これにより、画像形成ユニット３０ａ〜３０ｄの着脱時には、画像形成ユニット３０ａ〜３０ｄが窪み部１５に案内されて前後に摺動移動できるようになっている。
【００６３】
そして、画像形成ユニット３０ａ〜３０ｄが装着された状態では、最後尾に装着されている画像形成ユニット３０ｄの後方から弾性体１６の弾性力で前方に付勢されるようになっている。
【００６４】
感光体ドラム３２は、図１に示すように、円筒形状をなし、最表層がポリカーボネートなどからなる正帯電性の感光層により形成されるドラム本体３２Ａと、このドラム本体３２Ａの軸心において、ドラム本体３２Ａの長手方向に沿って延びる軸としての金属製のドラム軸３２Ｂとを備えている。
【００６５】
感光体ドラム３２は、ドラム軸３２Ｂが軸受部（図示しない）に支持されることでドラム軸３２Ｂを中心に回転自在に設けられている。また、感光体ドラム３２は、モータ（図示しない）からの動力がギヤ（図示しない）を介して与えられて回転駆動される。
【００６６】
＜用紙搬送部＞
用紙搬送部４０は、ユニット収容部３７に装着される画像形成ユニット３０ａ〜３０ｄの下方に配置されている。この用紙搬送部４０は、後側と前側とに間隔をおいて互いに平行に設けられた一対のベルト支持ローラ４１，４２と、両ローラ４１，４２間に掛け渡された転写ベルト４３（用紙搬送ベルト）とを備え、前側のベルト支持ローラ４２がモータの動力により回転駆動されることで転写ベルト４３が循環移動する構成になっている。
【００６７】
そして、レジストローラ２３Ａ，２３Ｂから送り出された用紙Ｐは、転写ベルト４３の上面前端付近で転写ベルト４３の上面に静電吸着して転写ベルト４３の循環移動に伴って後方へ搬送される。
【００６８】
感光体ドラム３２の表面は、その回転に伴って、まず、スコロトロン型帯電器（図示しない）により一様に正帯電された後、スキャナ部２５からのレーザ光Ｌの高速走査により露光され、用紙Ｐに形成すべき画像に対応した静電潜像が形成される。
【００６９】
次いで、トナーが感光体ドラム３２に対向して接触するときに、感光体ドラム３２の表面上に形成されている静電潜像に供給される。これにより、感光体ドラム３２の静電潜像は、可視像化され、感光体ドラム３２の表面には、反転現像によるトナー像が担持される。
【００７０】
その後、感光体ドラム３２の表面上に担持されたトナー像は、転写ベルト４３によって搬送される用紙Ｐが、感光体ドラム３２と転写ローラ４４との間の転写位置を通る間に、転写ローラ４４に印加される転写バイアスによって、用紙Ｐに転写される。トナー像が転写された用紙Ｐは、次いで定着器４５に搬送される。
【００７１】
定着器４５は、本体ケーシング１０内における用紙搬送部４０の後方に配置されている。この定着器４５は、互いに対向配置された加熱ローラ４５Ａ及び加圧ローラ４５Ｂ等から構成され、用紙Ｐ上に転写されたトナー像を紙面に熱定着させる。そして、熱定着された用紙Ｐは、本体ケーシング１０の上部に設けられた排紙ローラ４６へ搬送される。本体ケーシング１０の上面には、前端側がほぼ水平で、後端側が後下がりに傾斜した排紙トレイ４７が設けられ、排紙ローラ４６から排出された画像形成後の用紙Ｐがこの排紙トレイ４７上に積層される。
【００７２】
２．画像形成ユニットの着脱方法
次に、画像形成ユニット３０ａ〜３０ｄのメンテナンス時等に行われる画像形成ユニット３０ａ〜３０ｄの着脱方法について説明する。
＜取り外し＞
使用者がカバー１８を開放すると、係止部１９の画像形成ユニット３０ａに対する係止が解除される。このとき、画像形成ユニット３０ａ〜３０ｄは、弾性体１６の弾性力により後方から付勢されているから、図４に示すように、４つの画像形成ユニット３０ａ〜３０ｄが前方にスライド移動してくる。
【００７３】
次に、使用者は、４つの画像形成ユニット３０ａ〜３０ｄがスライド移動することにより、最前の画像形成ユニット３０ａが載置部１３（着脱部）に位置しているから、画像形成ユニット３０ａの取り外しを行う。すると、図７に示すように、画像形成ユニット３０ｂ〜３０ｄは、弾性体１６の弾性力により後方から付勢されているから、３つの画像形成ユニット３０ｂ〜３０ｄが前方にスライド移動してくる。
【００７４】
次に、使用者は、３つの画像形成ユニット３０ｂ〜３０ｄがスライド移動することにより、最前（２番目）の画像形成ユニット３０ｂが載置部１３（着脱部）に位置しているから、画像形成ユニット３０ｂの取り外しを行う。
【００７５】
以下、画像形成ユニット３０ｂ，３０ｄについても同様にスライド移動するからこれらの取り外しを行うことにより（図６，図８参照）、全ての画像形成ユニット３０ａ〜３０ｄの取り外し作業が完了する。
【００７６】
＜装着＞
メンテナンス作業後等の画像形成ユニット３０ａ〜３０ｄの装着時には、まず、最後に取り外した画像形成ユニット３０ｄを載置部１３（着脱部）に載置する（図６，図８参照）。
【００７７】
次に、画像形成ユニット３０ｄを弾性体１６の弾性力に逆らって後方に押し戻し、これにより空いた載置部１３（着脱部）に画像形成ユニット３０ｃを載置する。
【００７８】
以下、画像形成ユニット３０ｂ，３０ａについても同様に、順番に着脱部に載置する（図７参照）。そして、最初に取り外した画像形成ユニット３０ａを最後に載置部１３（着脱部）に載置してから（図４参照）、カバー１８を閉じる方向に回動させる。
【００７９】
これにより、最前の画像形成ユニット３０ａがカバー１８の係止部１９に押圧され、全ての画像形成ユニット３０ａ〜３０ｄが後方にスライド移動する。そして、カバー１８が閉鎖位置に達すると（図１参照）、４つの画像形成ユニット３０ａ〜３０ｄが正規の装着位置に装着され、このとき感光体ドラム３２のドラム軸３２Ｂが本体ケーシング１０内面の軸受部（図示しない）に軸受けされるとともに、画像形成ユニット３０と本体ケーシング１０内部の動力伝達のためのギヤ（図示しない）同士が噛み合い画像形成が可能となる。
【００８０】
３．本実施形態の効果
本実施形態によれば、１つの画像形成ユニット３０ａ（〜３０ｄのいずれか）のみが載置部１３（着脱部）まで移動することにより、重心の移動による画像形成装置の傾斜等を防止することができる。
【００８１】
また、例えば、４個の画像形成ユニット３０ａ〜３０ｄが略水平位置に並んで配される場合には、４個の画像形成ユニットが高さ方向に並んで配されるよりも画像形成装置が傾斜しやすい。そこで、本実施形態によれば、画像形成ユニット３０ａ〜３０ｄが略水平位置に並んで配される場合に本発明が適用されるから、より効果的に画像形成装置の傾斜等を防止することができる。
【００８２】
さらに、画像形成ユニット３０ａ〜３０ｄの着脱の際に、画像形成ユニット３０ａ〜３０ｄを本体ケーシング１０の外部まで引き出す必要がないから、画像形成ユニット３０ａ〜３０ｄの移動により生じる画像形成装置の重心の移動が減少し、より画像形成装置の傾斜等を防止することができる。
【００８３】
さらに、本実施形態によれば、カバー１８を開放するだけで画像形成ユニット３０ａが載置部１３（着脱部）に移動し、画像形成ユニット３０ａの着脱が可能になるとともに、カバー１８を閉じるだけで４個の画像形成ユニット３０ａ〜３０ｄを正規の装着位置に位置決めすることができる。
【００８４】
また、本実施形態によれば、所定の並び順における装着位置において隣接するユニットケース３１の対向面は凸部３３と凹部３４とが凹凸嵌合する一方で、所定の並び順とは異なる装着位置において隣接するユニットケース３１の対向面については凸部３３と凹部３４とが凹凸嵌合しないという簡素な構成で、画像形成ユニットの装着順序の間違いを認識することができる。
【００８５】
＜実施形態２＞
次に、実施形態２について図１１〜図１６を参照しつつ説明する。なお、実施形態１と同一の構成については同一の符号を付して説明を省略する。
【００８６】
実施形態２では、画像形成ユニット３０ａ〜３０ｄを案内するための窪み部１５は、本体ケーシング１０の側壁１０Ｂと別部材で形成されてなるレール５１に形成されており（図１２，図１３）、カバー１８を閉鎖位置まで閉じると、当該動作と連動してレール５１が下降することにより（図１２）、４つの画像形成ユニット３０ａ〜３０ｄが正規の位置に装着されるようになっている。
【００８７】
具体的には、図１２に示すように、本体ケーシング１０の両内側壁１０Ｂには、前後方向に長くレール５１の上下方向の幅よりもやや大きいレール保持凹部５２が凹設されている。そして、このレール保持凹部５２内にレール５１が配されるようになっており、レール５１はレール保持凹部５２の範囲内において駆動手段（図示しない）により上下移動可能となっている。
【００８８】
このレール５１には本体ケーシング１０の内方側に水平な窪み部１５が形成されており、この窪み部１５に各画像形成ユニット３０ａ〜３０ｄの突部３５が配される（収容される）ことにより各画像形成ユニット３０ａ〜３０ｄが載置部１３（着脱部）までスライド移動する（案内される）ようになっている。
【００８９】
また、図１１に示すように、本体ケーシング１０の上壁１０Ｃの前端面には、カバー１８の閉鎖状態を検知するセンサ部５３が設けられている。センサ部５３は、カバー１８が閉鎖位置まで移動したことを検知すると、駆動手段に閉鎖信号を送信し、カバー１８が閉鎖位置から離れたことを検知すると、駆動手段にかかる開放信号を送信する。
【００９０】
駆動手段は、センサ部５３から閉鎖信号を受信すると、モータ（図示しない）を動かし昇降機構（図示しない）によりレール５１を下降させる。これにより、画像形成ユニット３０ａ〜３０ｄが下降し、感光体ドラム３２のドラム軸３２Ｂが軸受けフレーム５４の溝部５５内に係合されるとともに（図１１）、各ギヤ（図示しない）同士が噛み合い（正規の装着位置に装着されて）画像形成が可能な状態となる。したがって、駆動手段が本発明の位置決め手段に相当する。
【００９１】
一方、駆動手段は、センサ部５３から開放信号を受信したときには、モータを動かし昇降機構によりレール５１を上昇させる。これにより、画像形成ユニット３０ａ〜３０ｄが上昇し感光体ドラム３２のドラム軸３２Ｂが、軸受けフレーム５４の溝部５５との係合が解除（位置決めが解除）される（図１４）。したがって、駆動手段は、本発明の解除手段としても機能している。
このとき、画像形成ユニット３０ａ〜３０ｄは、弾性体１６の弾性力により後方から付勢されているから、図１５に示すように、４つの画像形成ユニット３０ａ〜３０ｄが軸受けフレーム５４に沿うように前方にスライド移動してくる。
【００９２】
次に、使用者は、画像形成ユニット３０ａの取り外しを行うと、図１６に示すように、３つの画像形成ユニット３０ｂ〜３０ｄが軸受けフレーム５４に沿うように前方にスライド移動してくる。以下、他の画像形成ユニット３０ｃ，３０ｄについても同様に取り外しが行われる。
【００９３】
このように、実施形態２によれば、カバー１８を閉じるだけで画像形成ユニット３０ａ〜３０ｄを正規の装着位置に位置決めできるとともに、カバー１８を開くことにより画像形成ユニット３０ａ〜３０ｄの位置決めを解除できる。
【００９４】
＜実施形態３＞
実施形態３では、本体ケーシング１０の上面に、タッチパネル６１（入力手段。図２参照）が設けられており、このタッチパネル６１を操作することで予め画像形成ユニット３０ａ〜３０ｄの並び順を設定できるようになっている。
【００９５】
使用者は、タッチパネル６１に所望の並び順を設定した後に、設定した並び順通りに４つの画像形成ユニット３０ａ〜３０ｄの装着を行う。これにより、内部のＣＰＵ（図示しない）が設定された順序に応じた色の画像を形成するための信号を４つのスキャナ部２５に送信し、画像形成ユニット３０ａ〜３０ｄにより画像が形成される。
このようにすれば、タッチパネル６１（入力手段）で入力される並び順で画像形成ユニット３０ａ〜３０ｄを装着することができる。
【００９６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００９７】
（１）上記各実施形態では、用紙Ｐに対し直接転写を行うダイレクトタンデム方式のものを例示したが、本発明は、用紙Ｐに対して中間転写体（中間転写ベルト）を介して転写を行う中間転写方式のカラーレーザプリンタにも適用することができる。また、例えば、ベルト状感光体が１つだけで、用紙Ｐ又は中間転写ベルトがこのベルト状感光体と対向する部位に繰り返し搬送されるようにして、ベルト状感光体に各色のトナー像を順次形成し、その都度用紙Ｐ又は中間転写ベルトに重ねて転写することによりカラー画像を形成するいわゆる４サイクル方式のカラーレーザプリンタに適用してもよい。この場合は、ベルト状感光体に沿って配置される複数（Ｎ個）の現像ユニットによって画像形成ユニットが構成されることになる。
【００９８】
（２）実施形態２では、電気的にレール５１を昇降させる構成としたが、機械的構成により下降させるようにしてもよい。例えば、カバー１８の回転軸と同軸に設けられた歯車の周縁部に取り付けたシャフト（図示しない）をレール５１と連動させるように構成し、カバー１８の回転運動をレール５１を下降させる直線運動に変えるようにしてもよい。
【００９９】
（３）上記各実施形態では、画像形成ユニットは４個とし、ＣＭＹＫの４色の画像を形成する構成としたが、これに限られない。例えば、画像形成ユニットは３個以下又は５個以上でもよく（Ｎ個）、２色（赤と黒）や３色又は、５色以上の画像を形成するようにしてもよい。
【０１００】
（４）上記各実施形態では、トナーの量等に応じて最も消耗の早い画像形成ユニット３０ａを載置部１３（着脱部）側に配する構成としたが、トナー以外にも他の部材の寿命等に応じて他の画像形成ユニット３０ｂ〜３０ｄに最も消耗が早いものがある場合には、かかる画像形成ユニットを載置部１３（着脱部）側に配する構成としてもよい。
【０１０１】
（５）上記実施形態では、画像形成ユニット３０ａ〜３０ｄの載置部１３（着脱部）は、本体ケーシング１０内部に設けられる構成としたが、本体ケーシング１０外部に着脱部（載置部）が設けられる構成としてもよい。例えば、４つの画像形成ユニット３０ａ〜３０ｄを載置した引き出し部（図示しない）を前方に所定位置まで引き出し（スライド移動）可能に構成し、当該所定位置で多くとも最後部の画像形成ユニットを除いた３つ（望ましくは最前の１つの画像形成ユニット）を着脱可能に構成してもよい。なお、かかる構成とすると、本体ケーシング１０の外部で画像形成ユニット３０ａ〜３０ｄの着脱が可能となるため、本体ケーシング１０の上部には開放されていなくてもよい（開口部を有さなくてもよい）。また、載置部１３（着脱部）は、本体ケーシング１０内部と外部とに亘って（前方から着脱可能なユニット挿通口内に）設けられる構成としてもよい。
このようにすれば、本体ケーシング内の狭い範囲で画像形成ユニットの着脱を行う場合と比較して着脱作業が容易になる。
【０１０２】
（６）上記実施形態では、画像形成ユニット３０ａ〜３０ｄの着脱は開放部１１の上方及び前方の双方から可能であるが、例えば、本体ケーシング１０の上部にのみ開口部を設けて、本体ケーシング１０の上方から画像形成ユニット３０ａ〜３０ｄの着脱を順次行う構成や、本体ケーシング１０の前部にのみユニット挿通口を設けて、本体ケーシング１０の前方から画像形成ユニット３０ａ〜３０ｄの着脱を行う構成としてもよい。また、上記実施形態では、最前の画像形成ユニット３０ａについても着脱部に移動させるように構成しているが、スキャナ部２５が邪魔にならないように工夫すれば、図１に示される最前の画像形成ユニット３０ａの位置（画像形成位置）を着脱部とすることも可能である。
【０１０３】
（７）画像形成ユニットの並び順を検知する検出手段を設け、画像形成ユニットの装着順（並び順）に応じた画像形成動作を行わせるようにしてもよい。例えば、各画像形成ユニットの側面の形状を異ならせるとともに、本体ケーシング１０内の各画像形成ユニットごとの所定の装着位置に、各画像形成ユニットの側面形状の読取部（検出手段。図示しない）を設けることにより、読取部で読み取った画像形成ユニットの順番に応じてスキャナ部２５を動作させ、画像形成を行うようにしてもよい。また、例えば、各画像形成ユニットにそれぞれ異なる情報の記憶されたＩＣタグ（図示しない）を取り付け、読取部にてＩＣタグに記憶された情報を読み取ることにより、画像形成ユニットの順番を検出するようにしてもよい。このようにすれば、自由な装着順序で画像形成ユニットの装着が可能となる。
【０１０４】
（８）上記実施形態では、弾性体１６により画像形成ユニット３０ａ〜３０ｄを前方に付勢する（移動させる）構成としたが、これに限らず、他の移動手段であってもよい。例えば、モータの駆動力により画像形成ユニット３０ａ〜３０ｄを前後に移動可能な移動装置を設けるようにしてもよく、また、画像形成ユニット３０ａ〜３０ｄを斜めに配置し、重力により移動する構成としてもよい。
【図面の簡単な説明】
【０１０５】
【図１】本発明の実施形態１における画像形成装置としてのレーザプリンタの概略構成を示す側断面図
【図２】画像形成ユニットが取り外された状態のレーザプリンタの斜視図
【図３】画像形成ユニットが装着された状態のレーザプリンタの断面図
【図４】カバーを開いた状態におけるレーザプリンタの側断面図
【図５】画像形成ユニットが移動する状態を示すレーザプリンタの斜視図
【図６】画像形成ユニットが移動した状態を示すレーザプリンタの斜視図
【図７】１つの画像形成ユニットの取り外しが行われた状態を示すレーザプリンタの側断面図
【図８】３つの画像形成ユニットの取り外しが行われた状態を示すレーザプリンタの側断面図
【図９】画像形成ユニットが正規の順序で装着された状態を示すレーザプリンタの平断面図
【図１０】画像形成ユニットが間違った順序で装着された状態を示すレーザプリンタの平断面図
【図１１】本発明の実施形態２における画像形成装置としてのレーザプリンタの概略構成を示す側断面図
【図１２】画像形成ユニットが装着された状態のレーザプリンタの断面図
【図１３】カバーを開いたときのレーザプリンタの断面図
【図１４】カバーを開いたときのレーザプリンタの側断面図
【図１５】画像形成ユニットが着脱可能な位置に移動した状態を示すレーザプリンタの側断面図
【図１６】１つの画像形成ユニットを取り外した状態を示すレーザプリンタの側断面図
【符号の説明】
【０１０６】
１０…本体ケーシング
１１…開放部（開口部、ユニット挿通口）
１３…載置部（着脱部）
１５…窪み部
１６…弾性体
１７…押し板
１８…カバー
３０ａ〜３０ｄ…画像形成ユニット
３１…ユニットケース
３１Ａ…張出部
３３…凸部
３４…凹部
３５…突部
５１…レール
５３…センサ部（検出手段）
６１…タッチパネル（入力手段）
【図１】
2006267668.tif 000003
【図２】
2006267668.tif 000004
【図３】
2006267668.tif 000005
【図４】
2006267668.tif 000006
【図５】
2006267668.tif 000007
【図６】
2006267668.tif 000008
【図７】
2006267668.tif 000009
【図８】
2006267668.tif 000010
【図９】
2006267668.tif 000011
【図１０】
2006267668.tif 000012
【図１１】
2006267668.tif 000013
【図１２】
2006267668.tif 000014
【図１３】
2006267668.tif 000015
【図１４】
2006267668.tif 000016
【図１５】
2006267668.tif 000017
【図１６】
2006267668.tif 000018